(57)【要約】  【課題】  サラウンド信号から高品質なステレオ信号を生成できる制御装置およびオーディオ処理装置を提供する。  【解決手段】  サラウンド信号からスレレオ信号を生成する場合に、サラウンド信号を構成する複数のオーディオ信号をその合成前にレベル調整するＤＳＰ内の各レベル調整部を、操作画面１３ａ上のレベル調整画像２０ａ〜３１ａの操作により制御する。また、合成後のオーディオ信号をレベル調整するレベル調整部を、レベル調整画像４０ａ，４１ｂの操作により制御する。  【選択図】  図４
2005109817.tif 000002
【特許請求の範囲】
【請求項１】
サラウンド信号を構成する複数のオーディオ信号の各々を複数の合成前調整手段でそれぞれレベル調整した後に合成してステレオ信号を生成する信号処理装置を制御する制御装置であって、
前記複数の合成前調整手段の各々に対応して設けられ、当該対応する前記合成前調整手段によるレベル調整量を設定するための複数の操作手段と、
表示手段と、
前記信号処理装置内の前記複数の合成前処理手段と前記合成を行う合成手段とのそれぞれに対応する画像パターンを、前記複数の合成前処理手段に入力される前記複数のオーディオ信号の種類と、前記複数の合成前処理手段と前記合成手段との接続関係とを視覚的に把握可能な形態で、前記複数の操作手段で設定された前記レベル調整量と共に前記表示手段に表示させる表示制御手段と
を有する制御装置。
【請求項２】
前記ステレオ信号のレベル調整を行う合成後調整手段をさらに有する前記信号処理装置を制御する場合に、
前記合成後調整手段によるレベル調整量を設定するための合成後設定操作手段
をさらに有し、
前記表示制御手段は、前記合成後設定操作手段で設定された前記レベル調整量を前記表示手段に表示する
請求項１に記載の制御装置。
【請求項３】
前記ステレオ信号を構成する右チャンネルオーディオ信号の生成に用いる前記合成前調整手段によるレベル調整量を設定するための前記操作手段と、
前記ステレオ信号を構成する左チャンネルオーディオ信号の生成に用いる前記合成前調整手段によるレベル調整量を設定するための前記操作手段と
を個別に有する請求項１または請求項２に記載の制御装置。
【請求項４】
サラウンド信号を構成する複数のオーディオ信号の各々をレベル調整した後に合成してステレオ信号を生成するオーディオ処理装置であって、
前記ステレオ信号を生成する信号処理装置と、
前記信号処理装置を制御する制御装置と
を有し、
前記信号処理装置は、
前記複数のオーディオ信号の各々を前記レベル調整する合成前調整手段と、
複数の前記合成前調整手段でレベル調整された前記複数のオーディオ信号を合成して前記ステレオ信号を生成する合成手段と
を有し、
前記制御装置は、
前記複数の合成前調整手段の各々に対応して設けられ、当該対応する前記合成前調整手段によるレベル調整量を設定するための複数の操作手段と、
表示手段と、
前記信号処理装置内の前記複数の合成前処理手段と前記合成を行う合成手段とのそれぞれに対応する画像パターンを、前記複数の合成前処理手段に入力される前記複数のオーディオ信号の種類と、前記複数の合成前処理手段と前記合成手段との接続関係とを視覚的に把握可能な形態で、前記複数の操作手段で設定された前記レベル調整量と共に前記表示手段に表示させる表示制御手段と
を有する
オーディオ処理装置。
【発明の詳細な説明】
【技術分野】
【０００１】
本発明は、サラウンド信号からステレオ信号を生成するために用いられる制御装置およびオーディオ処理装置に関する。
【背景技術】
【０００２】
リアルな音響をユーザに提供するサラウンド音響システムが知られている。
このようなサラウンド音響システムは、例えば、ＡＲＩＢ(Association of Radio Industries and Business)で規格化されたサラウンド信号を構成する６つのオーディオ信号に応じたオーディオ出力を、それらに対応して設けられた６つのサラウンドスピーカで行う。
このような６つのオーディオ信号は、放送局の信号処理装置で生成され、放送される。
放送局には、例えば、６つのサラウンドスピーカが設けられ、操作者が、放送中のサラウンド信号に応じたサラウンド音響をモニタしている。
ところで、サラウンド放送では、ステレオスピーカ用に、サラウンド信号から生成したステレオ信号をサラウンド信号とは別に放送する。
従来では、例えば、放送局に設置されたオーディオ処理システムは、サラウンド信号を構成する６つのオーディオ信号に対して、予め決められた例えば３つのパターンのうち選択されたパターンでレベル調整を行い、それらを合成してステレオ信号を生成している。
何れのパターンを選択するかは、サラウンド信号から生成されたステレオ信号に応じたステレオ音響をモニタして操作者が決定している。
【発明の開示】
【発明が解決しようとする課題】
【０００３】
しかしながら、上述した従来のオーディオ処理システムでは、サラウンド信号を構成する６つのオーディオ信号に対して操作者が個別にレベル調整を行って合成することができず、高品質なステレオ信号を生成できないという問題がある。
【０００４】
本発明は上述した従来技術の問題点に鑑みてなされ、サラウンド信号から高品質なステレオ信号を生成できる制御装置およびオーディオ処理装置を提供することを目的とする。
【課題を解決するための手段】
【０００５】
上述した従来技術の問題点を解決するために、第１の発明の制御装置は、サラウンド信号を構成する複数のオーディオ信号の各々を複数の合成前調整手段でそれぞれレベル調整した後に合成してステレオ信号を生成する信号処理装置を制御する制御装置であって、前記複数の合成前調整手段の各々に対応して設けられ、当該対応する前記合成前調整手段によるレベル調整量を設定するための複数の操作手段と、表示手段と、前記信号処理装置内の前記複数の合成前処理手段と前記合成を行う合成手段とのそれぞれに対応する画像パターンを、前記複数の合成前処理手段に入力される前記複数のオーディオ信号の種類と、前記複数の合成前処理手段と前記合成手段との接続関係とを視覚的に把握可能な形態で、前記複数の操作手段で設定された前記レベル調整量と共に前記表示手段に表示させる表示制御手段とを有する。
【０００６】
第１の発明の制御装置は、好ましくは、前記ステレオ信号のレベル調整を行う合成後調整手段をさらに有する前記信号処理装置を制御する場合に、前記合成後調整手段によるレベル調整量を設定するための合成後設定操作手段をさらに有し、前記表示制御手段は、前記合成後設定操作手段で設定された前記レベル調整量を前記表示手段に表示する。
【０００７】
第１の発明の制御装置は、好ましくは、前記ステレオ信号を構成する右チャンネルオーディオ信号の生成に用いる前記合成前調整手段によるレベル調整量を設定するための前記操作手段と、前記ステレオ信号を構成する左チャンネルオーディオ信号の生成に用いる前記合成前調整手段によるレベル調整量を設定するための前記操作手段とを個別に有する。
【０００８】
第２の発明のオーディオ処理装置は、サラウンド信号を構成する複数のオーディオ信号の各々をレベル調整した後に合成してステレオ信号を生成するオーディオ処理装置であって、前記ステレオ信号を生成する信号処理装置と、前記信号処理装置を制御する制御装置とを有し、前記信号処理装置は、前記複数のオーディオ信号の各々を前記レベル調整する合成前調整手段と、複数の前記合成前調整手段でレベル調整された前記複数のオーディオ信号を合成して前記ステレオ信号を生成する合成手段とを有し、前記制御装置は、前記複数の合成前調整手段の各々に対応して設けられ、当該対応する前記合成前調整手段によるレベル調整量を設定するための複数の操作手段と、表示手段と、前記信号処理装置内の前記複数の合成前処理手段と前記合成を行う合成手段とのそれぞれに対応する画像パターンを、前記複数の合成前処理手段に入力される前記複数のオーディオ信号の種類と、前記複数の合成前処理手段と前記合成手段との接続関係とを視覚的に把握可能な形態で、前記複数の操作手段で設定された前記レベル調整量と共に前記表示手段に表示させる表示制御手段とを有する。
【発明の効果】
【０００９】
本発明によれば、サラウンド信号から高品質なステレオ信号を生成できる制御装置およびオーディオ処理装置を提供することができる。
【発明を実施するための最良の形態】
【００１０】
以下、本発明の実施形態に係わるオーディオ処理システムについて説明する。
図１は、本実施形態のオーディオ放送システム１の全体構成図である。
図１に示すように、オーディオ放送システム１は、例えば、サラウンド生成装置２、信号処理装置３、制御装置４、放送装置５、サラウンド用のスピーカＳＰ＿Ｌ，ＳＰ＿Ｒ，ＳＰ＿Ｃ，ＳＰ＿ＬＦＥ，ＳＰ＿ＳＬ，ＳＰ＿ＳＲ、並びにステレオ用のスピーカＳＰ＿ＳＴＬ，ＳＰ＿ＳＴＲを有する。
本実施形態において、サラウンド生成装置２、信号処理装置３、制御装置４、サラウンド用のスピーカＳＰ＿Ｌ，ＳＰ＿Ｒ，ＳＰ＿Ｃ，ＳＰ＿ＬＦＥ，ＳＰ＿ＳＬ，ＳＰ＿ＳＲ、並びにステレオ用のスピーカＳＰ＿ＳＴＬ，ＳＰ＿ＳＴＲは、例えば、放送局の副調整室８０内に設置されている。
サラウンド生成装置２および制御装置４は、例えば、音声調整卓８１に組み込まれる。
なお、信号処理装置３を、音声調整卓８１内に組み込んでもよい。
また、および放送装置５は、例えば、放送局のマスタ室に設置されている。
本実施形態において、信号処理装置３が本発明の信号処理装置に対応し、制御装置４が本発明の制御装置に対応している。
【００１１】
本実施形態では、サラウンド用のスピーカＳＰ＿Ｌ，ＳＰ＿Ｒ，ＳＰ＿Ｃ，ＳＰ＿ＬＦＥ，ＳＰ＿ＳＬ，ＳＰ＿ＳＲ、並びにステレオ用のスピーカＳＰ＿ＳＴＬ，ＳＰ＿ＳＴＲは、例えば、副調整室内で、操作者９の位置に対して図２に示す位置に設置されている。
【００１２】
以下、図１に示す各構成要素について説明する。
〔サラウンド生成装置２〕
サラウンド生成装置２は、サラウンド信号を構成する６つのオーディオ信号Ｌ，Ｒ，Ｃ，ＬＦＥ，ＳＬ，ＳＲを生成する。
【００１３】
サラウンド生成装置２は、制御装置４の操作パネル１３からのサラウンドモニタ指示に応じて、上記生成したオーディオ信号Ｌ，Ｒ，Ｃ，ＬＦＥ，ＳＬ，ＳＲを、それぞれサラウンド用のスピーカＳＰ＿Ｌ，ＳＰ＿Ｒ，ＳＰ＿Ｃ，ＳＰ＿ＬＦＥ，ＳＰ＿ＳＬ，ＳＰ＿ＳＲに出力する。
また、サラウンド生成装置２は、上記生成したアナログのオーディオ信号Ｌ，Ｒ，Ｃ，ＬＦＥ，ＳＬ，ＳＲを、信号処理装置３のＡＤ変換部１７に出力する。
サラウンド生成装置２は、上記生成したオーディオ信号Ｌ，Ｒ，Ｃ，ＬＦＥ，ＳＬ，ＳＲによって構成されるサラウンド信号ＳＵＲを放送装置５に出力する。
【００１４】
〔信号処理装置３〕
信号処理装置３は、図１に示すように、ＤＳＰ(Digital Signal Processor)１６、ＡＤ変換部１７およびＤＡ変換部１８を有する。
信号処理装置３は、サラウンド生成装置２が生成したアナログのオーディオ信号Ｌ，Ｒ，Ｃ，ＬＦＥ，ＳＬ，ＳＲを入力し、これをＡＤ変換部１７でデジタルのオーディオ信号Ｌ，Ｒ，Ｃ，ＬＦＥ，ＳＬ，ＳＲに変換する。
そして、ＤＳＰ１６が、上記デジタルのオーディオ信号Ｌ，Ｒ，Ｃ，ＬＦＥ，ＳＬ，ＳＲを、制御装置４から入力した制御信号ＣＯＮＴを基にレベル調整および合成して、ステレオの左チャンネルオーディオ信号ＳＴＬおよび右チャンネルオーディオ信号ＳＴＲを生成する。
ＤＳＰ１６は、当該生成したデジタルの左チャンネルオーディオ信号ＳＴＬおよび右チャンネルオーディオ信号ＳＴＲを放送装置５およびＤＡ変換部１８に出力する。
そして、ＤＡ変換部１８が、ＤＳＰ１６が生成したデジタルの左チャンネルオーディオ信号ＳＴＬおよび右チャンネルオーディオ信号ＳＴＲをアナログに変換してステレオのスピーカＳＰ＿ＳＴＬ，ＳＰ＿ＳＴＲに出力する。
【００１５】
図３は、図１に示すＤＳＰ１６の構成図である。
ＤＳＰ１６は、例えば、図３に示すように、レベル調整部２０〜３１、合成部４０，４１およびレベル調整部４２，４３を有する。
ここで、レベル調整部２０〜３１が本発明の合成前調整手段に対応し、レベル調整部４２，４３が合成後調整手段に対応している。
また、合成部４０，４１が本発明の合成手段に対応している。
【００１６】
ＤＳＰ１６は、ＡＤ変換部１７からデジタルのオーディオ信号Ｌ，Ｒ，Ｃ，ＬＦＥ，ＳＬ，ＳＲを入力する。
レベル調整部２０は、入力したオーディオ信号Ｌの電圧レベルを、図１に示す制御装置４から入力した制御信号ＣＯＮＴを基に設定されたレベル調整量で調整（増幅）して合成部４０に出力する。
レベル調整部２１は、入力したオーディオ信号Ｌの電圧レベルを、制御信号ＣＯＮＴを基に設定されたレベル調整量で調整（増幅）して合成部４１に出力する。
レベル調整部２２は、入力したオーディオ信号Ｒの電圧レベルを、制御信号ＣＯＮＴを基に設定されたレベル調整量で調整（増幅）して合成部４０に出力する。
レベル調整部２３は、入力したオーディオ信号Ｒの電圧レベルを、制御信号ＣＯＮＴを基に設定されたレベル調整量で調整（増幅）して合成部４１に出力する。
レベル調整部２４は、入力したオーディオ信号Ｃの電圧レベルを、制御信号ＣＯＮＴを基に設定されたレベル調整量で調整（増幅）して合成部４０に出力する。
レベル調整部２５は、入力したオーディオ信号Ｃの電圧レベルを、制御信号ＣＯＮＴを基に設定されたレベル調整量で調整（増幅）して合成部４１に出力する。
【００１７】
レベル調整部２６は、入力したオーディオ信号ＬＦＥの電圧レベルを、制御信号ＣＯＮＴを基に設定されたレベル調整量で調整（増幅）して合成部４０に出力する。
レベル調整部２７は、入力したオーディオ信号ＬＦＥの電圧レベルを、制御信号ＣＯＮＴを基に設定されたレベル調整量で調整（増幅）して合成部４１に出力する。
レベル調整部２８は、入力したオーディオ信号ＳＬの電圧レベルを、制御信号ＣＯＮＴを基に設定されたレベル調整量で調整（増幅）して合成部４０に出力する。
レベル調整部２９は、入力したオーディオ信号ＳＬの電圧レベルを、制御信号ＣＯＮＴを基に設定されたレベル調整量で調整（増幅）して合成部４１に出力する。
レベル調整部３０は、入力したオーディオ信号ＳＲの電圧レベルを、制御信号ＣＯＮＴを基に設定されたレベル調整量で調整（増幅）して合成部４０に出力する。
レベル調整部３１は、入力したオーディオ信号ＳＲの電圧レベルを、制御信号ＣＯＮＴを基に設定されたレベル調整量で調整（増幅）して合成部４１に出力する。
【００１８】
合成部４０は、レベル調整部２０，２２，２４，２６，２８，３０から入力したレベル調整後のオーディオ信号Ｌ，Ｒ，Ｃ，ＬＦＥ，ＳＬ，ＳＲを合成して左チャンネルオーディオ信号Ｓ４０を生成し、これをレベル調整部４２に出力する。
合成部４１は、レベル調整部２１，２３，２５，２７，２９，３１から入力したレベル調整後のオーディオ信号Ｌ，Ｒ，Ｃ，ＬＦＥ，ＳＬ，ＳＲを合成して右チャンネルオーディオ信号Ｓ４１を生成し、これをレベル調整部４３に出力する。
【００１９】
レベル調整部４２は、合成部４０から入力した左チャンネルオーディオ信号Ｓ４０の電圧レベルを、制御信号ＣＯＮＴを基に設定されたレベル調整量で調整（増幅）して放送用のステレオ信号ＳＴを構成する左チャンネルオーディオ信号ＳＴＬを生成し、これを放送装置５およびＤＡ変換部１８に出力する。
レベル調整部４３は、合成部４１から入力した右チャンネルオーディオ信号Ｓ４１の電圧レベルを、制御信号ＣＯＮＴを基に設定されたレベル調整量で調整（増幅）して放送用のステレオ信号ＳＴを構成する右チャンネルオーディオ信号ＳＴＲを生成し、これを放送装置５およびＤＡ変換部１８に出力する。
【００２０】
〔制御装置４〕
制御装置４は、図１に示すように、制御部１２および操作パネル１３を有する。
ここで、操作パネル１３が本発明の操作手段および表示手段に対応している。
また、制御部１２が本発明の表示制御手段に対応している。
制御部１２は、例えば、操作パネル１３からの操作信号ＯＰに応じた制御信号ＣＯＮＴを生成し、制御信号ＣＯＮＴを信号処理装置４のＤＳＰ(Digital Signal Processor)１６に出力する。
操作パネル１３は、例えば、図４に示す操作画面１３ａを表示する。
図４に示すように、操作画面１３ａは、図３を用いて説明したＤＳＰ１６内のレベル調整部２０〜３１，４２，４３の各々に対応したレベル調整画像２０ａ〜３１ａ，４２ａ，４３ａを、ＤＳＰ１６内におけるレベル調整部２０〜３１，４２，４３の接続構造を視覚的に表現したパターンで表示する。
ここで、レベル調整画像２０ａ〜３１ａが本発明の操作手段に対応し、レベル調整画像４２ａ，４３ａが本発明の合成後設定操作手段に対応している。
レベル調整画像２０ａ〜３１ａの各々には、サラウンド信号ＳＯＵを構成するオーディオ信号Ｌ，Ｒ，Ｃ，ＬＦＥ，ＳＬ，ＳＲの文字がそれぞれ対応付けて表示されている。
また、レベル調整画像４０ａ，４１ａの各々には、ステレオ信号ＳＴを構成する左チャンネルオーディオ信号ＳＴＬおよび右チャンネルオーディオ信号ＳＴＲの文字がそれぞれ対応付けて表示されている。
【００２１】
レベル調整画像２０ａ〜３１ａ，４２ａ，４３ａの各々は、図５（Ａ）に示すように、増幅に関する操作であることを示すオペアンプを模した画像６０と、操作・表示画像６１とを有する。
操作・表示画像６１は、隣接して配置された複数の枡目６２のオン・オフにより、レベル調整量を示すと共に、枡目６２をマウスなどの操作手段でクリック操作することでレベル調整量を設定するために用いられる。
例えば、操作・表示画像６１は、例えば、増幅を行わない場合には、図５（Ａ）に示すように４つの枡目６２の全てをオフ表示する。
また、操作・表示画像６１は、例えば、第１の段階のレベル調整量で増幅を行う場合には、図５（Ｂ）に示すように画面左端の１つの枡目６２のみをオン表示する。
また、操作・表示画像６１は、例えば、第２の段階のレベル調整量で増幅を行う場合には、図５（Ｃ）に示すように画面左端から２つの枡目６２をオン表示する。
ユーザは、自らが希望するレベル調整量に対応する枡目６２を、マウスなどでクリックすることで、レベル調整量を設定する。
なお、図４および図５に示す操作・表示画像６１において、回転によりレベル調整を行うことをイメージした画像６３を基に、画像６３をマウスなどで回転させることで、レベル調整を行うようにしてもよい。
【００２２】
すなわち、レベル調整画像２０ａ〜３１ａ，４２ａ，４３ａの操作・表示画像６１には、それぞれ図３に示すレベル調整部２０〜３１，４２，４２に設定されたレベル調整量が視覚的に表示される。
また、操作者は、レベル調整画像２０ａ〜３１ａ，４２ａ，４３ａの操作・表示画像６１をマスクなどでクリック操作することで、それぞれ図３に示すレベル調整部２０〜３１，４２，４２にレベル調整量を設定する。
このように、本実施形態では、図４および図５を用いて説明した操作パネル１３の操作画面１３ａを用いることで、図３に示すＤＳＰ１６内のレベル調整部２０〜３１，４２，４３のレベル調整量を個別に設定できる。
また、操作者は、操作画面１３ａから、レベル調整部２０〜３１，４２，４３のレベル調整量を知ることができる。
【００２３】
〔放送装置５〕
放送装置５は、サラウンド生成装置２から入力したサラウンド信号ＳＵＲと、信号処理装置３から入力したステレオ信号ＳＴとを放送する。
【００２４】
以下、図１に示すオーディオ放送システム１の動作例を説明する。
当該動作例では、信号処理装置３が生成したステレオ信号ＳＴをスピーカＳＰ＿ＳＴＬ，ＳＰ＿ＳＴＲでモニタする場合を説明する。
操作者は、ステレオ用のスピーカＳＰ＿ＳＴＬ，ＳＰ＿ＳＴＲから出力されるステレオ音響をモニタする。
【００２５】
このとき、制御装置４の操作パネル１３には図４に示す操作画面１３ａが表示される。
操作者は、ステレオ音響をモニタしながら、図４に示す操作画面１３ａ上のレベル調整画像２０ａ〜３１ａ，４２，４３の図５に示す操作・表示画像６１の枡目６２をクリックしてレベル調整量を操作する。
操作パネル１３は、レベル調整画像２０ａ〜３１ａ，４２，４３を基にレベル調整量が操作されると、当該操作されたレベル調整画像２０ａ〜３１ａ，４２，４３の識別情報と、操作後のレベル調整量を示す操作信号ＯＰを生成し、これを制御部１２に出力する。
また、操作パネル１３は、上記操作されたレベル調整量に応じて、レベル調整画像２０ａ〜３１ａ，４２，４３内の操作・表示画像６１の枡目６２をオン・オフさせる。
制御部１２は、操作信号ＯＰを基に、レベル調整を行う図３に示すレベル調整部２０〜３１，４２，４３の識別情報と、そのレベル調整量とを示す制御信号ＣＯＮＴを生成し、これを信号処理装置３のＤＳＰ１６に出力する。
【００２６】
図３に示すＤＳＰ１６は、制御部１２から入力した制御信号ＣＯＮＴを基に、レベル調整部２０〜３１，４２，４３のうち上記操作されたレベル調整部のレベル調整量を更新（設定）する。
これにより、ＤＳＰ１６は、上記更新後のレベル調整量を基に、レベル調整部２０〜３１，４２，４３におけるレベル調整処理を行い、ステレオ信号ＳＴを構成する左チャンネルオーディオ信号ＳＴＬおよび右チャンネルオーディオ信号ＳＴＲを生成し、これを放送装置５に出力する。
【００２７】
以上説明したように、オーディオ放送システム１によれば、操作者は、ステレオ用のスピーカＳＰ＿ＳＴＬ，ＳＰ＿ＳＴＲから出力されるステレオ音響をモニタしながら、図４に示す操作パネル１３の操作画面１３ａ内のレベル調整画像２０ａ〜３１ａ，４２ａ，４３ａを操作して、図３に示すＤＳＰ１６のレベル調整部２０〜３１，４２，４３のレベル調整量を個別に設定することで、高品質なステレオ信号ＳＴを生成できる。
また、操作者は、レベル調整画像２０ａ〜３１ａ，４２ａ，４３ａ内に表示される枡目６２のオン・オフを基に、レベル調整量を把握でき、上記操作の参考にできる。
また、オーディオ放送システム１によれば、図３に示すように、ＤＳＰ１６にレベル調整部４２，４３を設け、これらのレベル調整量を操作画面１３ａで調整できるようにしたことで、最終的に放送されるオーディオ信号ＳＴＬ，ＳＴＲのレベルを適切に調整できる。
【００２８】
本発明は上述した実施形態には限定されない。
例えば、上述した実施形態では、操作画面１３ａ上に本発明の操作手段に対応するレベル調整画像２０ａ〜３１ａ，４２ａ，４３ａを実現した場合を例示したが、ボタンなどのハードウェアとして当該操作手段を実現してもよい。
また、上述した実施形態では、信号処理装置３で生成したステレオ信号ＳＴを放送装置５から放送する場合を例示したが、信号処理装置３以外の例えばマスター室に設置された装置で、制御装置４からの制御信号ＣＯＮＴを基に放送用のステレオ信号を生成してもよい。
また、本発明の操作手段は、例えば、図４および図５に示す操作画面１３ａの他に、例えば、レベル調整量を数字で表示してもよいし、マウスによるクリック以外の操作でレベル調整操作を行うようにしてもよい。
【産業上の利用可能性】
【００２９】
本発明は、サラウンド信号からステレオ信号を生成するシステムに適用可能である。
【図面の簡単な説明】
【００３０】
【図１】図１は、本発明の実施形態のオーディオ放送システムの全体構成図である。
【図２】図２は、図１に示すスピーカの配置を説明するための図である。
【図３】図３は、図１に示すＤＳＰの構成図である。
【図４】図４は、図１に示す操作パネルに表示される操作画面を説明するための図である。
【図５】図５は、図４に示すレベル調整画像を説明するための図である。
【符号の説明】
【００３１】
１…オーディオ放送システム、２…サラウンド生成装置、３…信号処理装置、４…制御装置、５…放送装置、１２…制御部、１３…操作パネル、１３ａ…操作画面、１６…ＤＳＰ、１７…ＡＤ変換部、１８…ＤＡ変換部、ＳＰ＿ＳＴＬ，ＳＰ＿ＳＴＲ…ステレオ用スピーカ、ＳＰ＿Ｌ，ＳＰ＿Ｒ，ＳＰ＿Ｃ，ＳＰ＿ＬＦＥ，ＳＰ＿ＳＬ，ＳＰ＿ＳＲ…サラウンド用スピーカ
【図１】
2005109817.tif 000003
【図２】
2005109817.tif 000004
【図３】
2005109817.tif 000005
【図４】
2005109817.tif 000006
【図５】
2005109817.tif 000007